(57)【要約】      【課題】  車載音響装置における音場設定の負担を軽減させる。      【解決手段】  各種情報が記録される内部記録媒体と、音場を設定する音場設定手段と、外部記録媒体に含まれた情報を記録する記録手段から車載音響装置を構成し、これに備えられた記録手段に、音場設定と外部記録媒体の音データとを関連付けて内部記録媒体に記録する機能を付与する。【選択図】      図２
2005293623.tif 000002
【特許請求の範囲】
【請求項１】
各種情報が記録される内部記録媒体と、
音場を設定する音場設定手段と、
外部記録媒体に含まれた情報を記録する記録手段と、を備えた車載音響装置において、
該記録手段は、音場設定と外部記録媒体の音データとを関連付けて該内部記録媒体に記録すること、を特徴とする車載音響装置。
【請求項２】
外部記録媒体に関する情報を取得する情報取得手段をさらに備え、
前記記録手段は、さらに、その外部記録媒体に関する情報と音場設定とを関連付けて記録すること、を特徴とする請求項１に記載の車載音響装置。
【請求項３】
前記外部記録媒体に関する情報は、当該記録媒体に記録されたＴＯＣ情報であること、を特徴とする請求項２に記載の車載音響装置。
【請求項４】
ＴＯＣ情報／記録された音データと音場設定との関連付けは録音開始時に実行されること、を特徴とする請求項３に記載の車載音響装置。
【請求項５】
各種情報が記録される内部記録媒体と、
音場を設定する音場設定手段と、
外部記録媒体に含まれた情報を記録する手段であって、該外部記録媒体の音データ録音時にその時に音場設定と当該音データとを関連付けて該内部記録媒体に記録する記録手段と、
該内部記録媒体の音データ再生時に、関連付けて記録された音場設定に基づいて、音場設定手段を制御する制御手段と、備えたこと、を特徴とする車載音響装置。
【請求項６】
前記音場設定手段による音場設定はユーザの操作により実施されること、を特徴とする請求項１から請求項５のいずれかに記載の車載音響装置。
【請求項７】
各種情報が記録される内部記録媒体と、外部記録媒体に関する情報を取得する情報取得手段と、外部記録媒体に含まれた情報を記録する記録手段と、音場を設定する音場設定手段と、を有し、ネットワークに接続された車載音響装置と、
該ネットワークを介して該車載音響装置と接続され、外部記録媒体に関する情報と音場情報と関連付けて記憶した音楽データベースを有したサーバと、を備えた車載音響システムであって、
該車載音響装置は、取得した外部記録媒体に関する情報を参照して該音楽データベースを検索し、外部記録媒体の音楽データを記録するときに検索された音場情報と当該音楽データとを関連付けて記録すること、を特徴とする車載音響システム。
【請求項８】
前記車載音響装置は、再生する音楽を、それに関連付けられた音場設定を用いて再生すること、を特徴とする請求項７に記載の車載音響システム。
【請求項９】
前記外部記録媒体に関する情報は、当該記録媒体に記録されたＴＯＣ情報であること、を特徴とする請求項７または請求項８のいずれかに記載の車載音響システム。
【請求項１０】
音場を設定可能であり、外部記録媒体の音楽データを内部記録媒体に記録可能な車載音響装置を用いて当該音楽データを該内部記録媒体に記録する音楽データ記録プログラムにおいて、
該音楽データ記録時にその時に音場設定と当該音楽データとを関連付けて該内部記録媒体に記録すること、を特徴とする音楽データ記録プログラム。
【発明の詳細な説明】
【技術分野】
【０００１】
この発明は、記録媒体の音データを再生／記録する車載音響装置、車載音響システム、及び音楽データ記録プログラムに関する。
【背景技術】
【０００２】
従来より、車両に搭載された音響装置は、例えばコンサートホールやライブハウスで音楽を聴くような臨場感を搭乗者に与える為の音場を設定する手段を有している（例えば特許文献１）。このような音場設定手段には、予め、クラッシック、ロック、ジャズ等の各音楽ジャンルに対応させた周波数特性を有した設定が複数種類記憶されている。また、これらの設定で満足できないユーザは、再生音の高音又は中音或いは低音といった周波数特性に補正を掛ける等の操作を行うことによって自分の好みに合った最適な音場を設定することができる。車載音響装置には、各周波数特性の補正に加えてさらに、音像定位やエコー等の機能もある。これらの各機能を複合的に組み合わせることによって、車内の空間を仮想的にコンサートホールやライブハウスのような空間（すなわち前記の場所の如き音場）にすることができる。
【特許文献１】特開平７−２８４１８５号公報
【０００３】
上記特許文献１に示された車載音響装置ではCompact Disc（以下、ＣＤと略記）又はカセットテープ等の外部記録媒体の音楽データを再生可能であるが、近年、内蔵ハードディスク（以下、内蔵ＨＤＤ）に記録された音楽データを再生可能なタイプも広く知られている。このような車載音響装置を使用する場合、ユーザは、一般的に、複数の外部記録媒体の音楽データを内蔵ＨＤＤに記録させてそれらの音楽を聴いている。なお、本明細書中において、音楽データには記録媒体に録音された音楽のデータが含まれ、音楽情報には前記音楽データに加えて後述のＴＯＣ情報などのデータも含まれる。
【発明の開示】
【発明が解決しようとする課題】
【０００４】
内蔵ＨＤＤを有した車載音響装置の場合には複数の記録媒体の音楽データを一つの記録媒体（すなわち内蔵ＨＤＤ）に記録する為、様々なジャンルの音楽をユーザが連続的に聴く状況が想定される。しかしながら音楽ジャンルが変更する度にユーザが音場を設定することは煩雑な作業である。特に予め設定された周波数特性の音場で満足できないユーザにとっては音楽ジャンル変更毎に各周波数特性に補正を掛ける操作を行う必要がある為、極めて煩雑な作業であった。
【０００５】
そこで、本発明は上記の事情に鑑み、音場設定の負担を軽減させることができる車載音響装置、該装置を有した車載音響システム及び音楽データ記録プログラムを提供することを目的とする。
【課題を解決するための手段】
【０００６】
上記の課題を解決する本発明の一態様に係る車載音響装置は、各種情報が記録される内部記録媒体と、音場を設定する音場設定手段と、外部記録媒体に含まれた情報を記録する記録手段とを備えたものである。これに備えられた記録手段は、音場設定と外部記録媒体の音データとを関連付けて該内部記録媒体に記録する機能を有している。また、この車載音響装置は外部記録媒体に関する情報を取得する情報取得手段をさらに備えたものであってもよく、この場合、記録手段は、さらに、その外部記録媒体に関する情報と音場設定とを関連付けて記録することができる。なお、外部記録媒体に関する情報は、当該記録媒体に記録されたＴＯＣ情報であってもよい。さらに、ＴＯＣ情報／記録された音データと音場設定との関連付けは録音開始時に実行されるものであってもよい。
【０００７】
また、上記の課題を解決する本発明の一態様に係る車載音響装置は、各種情報が記録される内部記録媒体と、音場を設定する音場設定手段と、外部記録媒体に含まれた情報を記録する手段であって、該外部記録媒体の音データ録音時にその時に音場設定と当該音データとを関連付けて該内部記録媒体に記録する記録手段と、該内部記録媒体の音データ再生時に関連付けて記録された音場設定に基づいて音場設定手段を制御する制御手段と備えたものである。
【０００８】
また、上記車載音響装置において、音場設定手段による音場設定はユーザの操作により実施されるものであってもよい。
【０００９】
また、上記の課題を解決する本発明の別の態様に係る車載音響システムは、各種情報が記録される内部記録媒体と、外部記録媒体に関する情報を取得する情報取得手段と、外部記録媒体に含まれた情報を記録する記録手段と、音場を設定する音場設定手段とを有し、ネットワークに接続された車載音響装置と、該ネットワークを介して該車載音響装置と接続され、外部記録媒体に関する情報と音場情報と関連付けて記憶した音楽データベースを有したサーバとを備えたシステムである。このシステムに備えられた車載音響装置は、取得した外部記録媒体に関する情報を参照して該音楽データベースを検索し、外部記録媒体の音楽データを記録するときに検索された音場情報と当該音楽データとを関連付けて記録する機能を有している。この車載音響装置は、再生する音楽を、それに関連付けられた音場設定を用いて再生することができる。なお、外部記録媒体に関する情報は、当該記録媒体に記録されたＴＯＣ情報であってもよい。
【００１０】
また、上記の課題を解決する本発明の別の態様に係る音楽データ記録プログラムは、音場を設定可能且つ外部記録媒体の音楽データを内部記録媒体に記録可能な車載音響装置を用いて当該音楽データを該内部記録媒体に記録するプログラムであり、該音楽データ記録時にその時に音場設定と当該音楽データとを関連付けて該内部記録媒体に記録するものである。
【発明の効果】
【００１１】
本発明の車載音響装置、車載音響システム、及び音楽データ記録プログラムを採用すると、ＣＤ等の外部記録媒体から装置内の内部記録媒体に音楽データを録音した際に音場設定と音楽データとが関連付けられて記録される。これにより、内部記録媒体の音楽データを再生するときに音場を設定する必要がない為、ユーザの負担が軽減され、当該ユーザは快適に車両を運転することができる。
【発明を実施するための最良の形態】
【００１２】
図１は、本発明の第１の実施形態の車載音響装置１００の構成を示したブロック図である。車載音響装置１００は、例えばＣＤ１等の外部記録媒体が挿入される記録媒体挿入部１０と、ＣＤ１を含む各種記録媒体（例えば下記ＨＤＤ４０やフラッシュメモリ）の音楽データを再生処理する再生部２０と、ここで再生処理された音楽を出力するスピーカ２２と、ＣＤ１等の外部記録媒体の音楽データを圧縮処理するデータ圧縮部３０と、ここで圧縮処理された音楽データを含む各種情報を記憶するＨＤＤ４０と、音場の設定操作を含む各種操作を行う為の操作部５０と、ここで操作された設定に応じて車内の音場を設定する音場設定部６０と、各種情報を表示する表示部７０と、車載音響装置１００全体の制御を統括して行う制御部８０から構成されている。この制御部８０は、ＣＤ１等の外部記録媒体に記録されたＴＯＣ(Table Of Contents)情報を当該ＣＤ１から抽出するＴＯＣ情報抽出部８２を有している。なお、ここでいうＴＯＣ情報とは、例えばＣＤ１の場合にはそのディスクの最内周に記録された情報であって、当該ＣＤ１内に録音された曲数、演奏時間、及び２曲目の演奏開始時間を示した情報である。記録媒体挿入部１０にＣＤ１が挿入されると、制御部８０のＴＯＣ情報抽出部８２は、当該ＣＤ１のＴＯＣ情報を自動的に読み取る。そして制御部８０は、読み取ったＴＯＣ情報を表示部７０に出力する。これにより表示部７０にＣＤ１の曲数や演奏時間などの情報が表示される。
【００１３】
また、ＨＤＤ４０は、予め「クラッシック」、「ロック」、「ジャズ」等の各音楽ジャンルに対応させた周波数特性を有した音場情報や、各周波数帯域の音に特性を持たせる「バスブースト」、「インパクト」、「スムース」などの音場情報（以下、これらの音場情報をプリセット音場情報と略記）を記憶している。ここで、車内の音場がこれらのプリセット音場情報による音場に設定されるようにユーザが操作部５０を操作すると、その操作に応じた信号が音場設定部６０及び表示部７０に入力される。操作部５０からの音場設定の信号が入力されると、音場設定部６０は、設定された音場で音楽データが再生されるように再生部２０に信号を出力する。これにより設定された音場でスピーカ２２から音楽が出力される。またこのとき表示部７０に操作部５０からの音場設定の信号が入力されると、その表示部分に音場設定の操作に応じた文字、例えば「ロック」、「バスブースト」等が表示される。また、プリセット音場情報以外の音場を設定する為には複数の周波数帯域の特性の各々を変更させてそれらの特性の各々に補正を掛ける操作をする必要がある。以下、このような操作によって設定された音場情報をカスタム音場情報と略記する。
【００１４】
図２は、本発明の第１の実施形態の車載音響装置１００の構成要素である制御部８０により実行される、音場設定処理を示したフローチャートである。以下に、図２を参照して、第１の実施形態の音場設定処理について説明する。
【００１５】
車載音響装置１００に電源電圧が供給され、記録媒体挿入部１０に外部記録媒体（ここではＣＤ１とする）が挿入されると、制御部８０のＴＯＣ情報抽出部８２は、ＣＤ１のＴＯＣ情報を読み取り（ステップ１：ＹＥＳ、以下、ステップを「Ｓ」と略記）、その情報を表示部７０に表示させ、ＣＤ１再生の為の操作が行われるまで待機状態に入る（Ｓ２）。ＣＤ１の音楽データを再生させるように操作部５０が操作されると（Ｓ２：ＹＥＳ）、制御部８０は、録音操作がされたか否かをチェックする（Ｓ３）。また、操作部５０によるＣＤ１再生の為の操作がされない場合（Ｓ２：ＮＯ）、制御部８０は待機状態のままである。
【００１６】
Ｓ３の処理においてＣＤ１の音楽データが録音されるように操作部５０を操作すると（Ｓ３：ＹＥＳ）、制御部８０は、現在設定されている音場情報（以下、現在音場設定と略記）のタイプを判定する（Ｓ４）。
【００１７】
Ｓ４の処理においていずれの音場も設定されていない場合（Ｓ４：設定なし）、制御部８０は、読み込んだＣＤ１のＴＯＣ情報をデフォルト値の周波数特性を有したデフォルト音場情報と関連付けてＨＤＤ４０に記録する（Ｓ５）。そしてデータ圧縮部５０を作動させてＣＤ１の音楽データをＨＤＤ４０に圧縮して記録し（Ｓ６）、それを当該デフォルト音場情報と関連付けてＨＤＤ４０に記録し（Ｓ７）、本処理を終了させる。
【００１８】
また、Ｓ４の処理において現在音場設定がプリセット音場情報（例えば「ジャズ」と「スムース」）である場合（Ｓ４：プリセット音場情報）、制御部８０は、読み込んだＣＤ１のＴＯＣ情報を「ジャズ」と「スムース」のプリセット音場情報と関連付けてＨＤＤ４０に記録する（Ｓ８）。そしてデータ圧縮部５０によりＣＤ１の音楽データを圧縮処理し（Ｓ９）、それを当該プリセット音場情報と関連付けてＨＤＤ４０に記録し（Ｓ１０）、本処理を終了させる。この場合には、ユーザは、再生及び録音操作だけで、外部記録媒体であるＣＤ１と、内部記録媒体であるＨＤＤ４０に記録された圧縮後の音楽データとの両方にプリセット音場情報を関連付けてＨＤＤ４０に記録させることができる。
【００１９】
また、Ｓ４の処理において現在音場設定がカスタム音場情報である場合（Ｓ４：カスタム音場情報）、制御部８０は、読み込んだＣＤ１のＴＯＣ情報とカスタム音場情報とを関連付けてその両方をＨＤＤ４０に記録する（Ｓ１１）。そしてデータ圧縮部５０によりＣＤ１の音楽データを圧縮処理し（Ｓ１２）、それを当該カスタム音場情報と関連付けてＨＤＤ４０に記録し（Ｓ１３）、本処理を終了させる。上述のプリセット音場情報の場合と同様に、ユーザは、再生及び録音操作だけで、外部記録媒体であるＣＤ１と、内部記録媒体であるＨＤＤ４０に記録された圧縮後の音楽データとの両方にカスタム音場情報を関連付けてＨＤＤ４０に記録させることができる。この場合、設定作業が煩雑なカスタム音場情報の設定を異なる記録媒体毎に行う必要がない為、ユーザの作業負担が大幅に軽減される。
【００２０】
なお、上述のフローチャートではＣＤ１再生時に録音操作を実行すると音場情報が関連付けられてＨＤＤ４０に記録されるが、別の実施形態の音場設定処理ではＣＤ１を記録媒体挿入部１０に挿入している状態であればいつでも上述のフローチャートの如き音場設定処理が実行できるようにしてもよい。この場合、ユーザは録音操作だけで両記録媒体に音場情報を関連付けてＨＤＤ４０に記録させることができる為、当該ユーザの作業負担がさらに軽減される。また、録音完了と同時に上述の音場設定処理が実行されるようにしてもよい。
【００２１】
図３は、本発明の第１の実施形態の車載音響装置１００の構成要素である制御部８０により実行される、ＨＤＤ４０に記録された音楽データを音場設定を参照して再生するＨＤＤ音楽データ再生処理を示したフローチャートである。以下に、図３を参照して、第１の実施形態のＨＤＤ音楽データ再生処理について説明する。
【００２２】
車載音響装置１００に電源電圧が供給され、ＨＤＤ４０に記録された音楽データを再生するように操作部５０が操作されると（Ｓ２１：ＹＥＳ）、制御部８０は、音場を自動的に設定する機能がオンであるか（操作部５０の図示しない音場自動設定用のスイッチがオンされているか）を判定する（Ｓ２２）。ここで、音場を自動的に設定する機能がオフである場合（Ｓ２２：ＮＯ）、制御部８０はいずれの音場も設定することなくＨＤＤ４０に記録された音楽データを読み込み、当該音楽データを再生し（Ｓ２５）、本処理は終了する。また、音場を自動的に設定する機能がオンである場合（Ｓ２２：ＹＥＳ）、制御部８０は、再生する音楽データと関連付けられた音場情報がＨＤＤ４０内に記録されているか否かを判定する（Ｓ２３）。ここで、音場情報が記録されていると判定した場合（Ｓ２３：ＹＥＳ）、制御部８０は、音場設定部６０によってその情報に応じた音場を生成させ（Ｓ２４）、再生部２０により当該音楽データを再生させる（Ｓ２５）。また、音場情報が記録されていないと判定した場合（Ｓ２３：ＮＯ）、制御部８０はいずれの音場も設定することなく当該音楽データを再生させ（Ｓ２５）、本処理は終了する。
【００２３】
図４は、本発明の第１の実施形態の車載音響装置１００の構成要素である制御部８０により実行される、ＣＤ１に記録された音楽データを音場設定を参照して再生するＣＤ音楽データ再生処理を示したフローチャートである。以下に、図４を参照して、第１の実施形態のＣＤ音楽データ再生処理について説明する。
【００２４】
車載音響装置１００に電源電圧が供給され、記録媒体挿入部１０にＣＤ１が挿入されると、制御部８０のＴＯＣ情報抽出部８２は、ＣＤ１のＴＯＣ情報を読み取り（Ｓ３１）、その情報を表示部７０に表示させる。そしてＣＤ１に記録された音楽データを再生するように操作部５０が操作されると（Ｓ３２：ＹＥＳ）、制御部８０は、音場を自動的に設定する機能がオンであるかを判定する（Ｓ３３）。ここで、音場を自動的に設定する機能がオフである場合（Ｓ３３：ＮＯ）、制御部８０はいずれの音場も設定することなくＣＤ１に記録された音楽データを読み込み、当該音楽データを再生し（Ｓ３６）、本処理は終了する。また、音場を自動的に設定する機能がオンである場合（Ｓ３３：ＹＥＳ）、制御部８０は、ＣＤ１のＴＯＣ情報と関連付けられた音場情報がＨＤＤ４０内に記録されているか否かを判定する（Ｓ３４）。ここで、音場情報が記録されていると判定された場合（Ｓ３４：ＹＥＳ）、制御部８０は、音場設定部６０によってその情報に応じた音場を生成させ（Ｓ３５）、再生部２０により当該音楽データを再生させる（Ｓ３６）。また、音場情報が記録されていないと判定した場合（Ｓ３４：ＮＯ）、制御部８０はいずれの音場も設定することなく当該音楽データを再生させ（Ｓ３６）、本処理は終了する。
【００２５】
以上説明したように、図３又は図４に示された処理を実行することによって予め設定された音場でスピーカ２２から音楽が出力される。なお、本処理は、異なった音楽データ（ここでは曲）を再生する度に実行される。従ってユーザは、曲が変更しても煩雑な操作を行う必要がなくなり、常に最適な音場で音楽を聴くことができる。
【００２６】
図５は、本発明の第２の実施形態の車載音響システム２００の構成を示したブロック図である。以下に、この図５を参照して、第２の実施形態の各車載音響システム２００の構成及び作用について説明する。なお、図５に示した処理において、図１に示した処理と同一の処理には、同一の符号を付してここでの詳細な説明は省略する。
【００２７】
車載音響システム２００は、外部装置と無線通信する為の通信部９０を備えた車載音響装置１１０と、各種音楽情報を蓄積した音楽データベース１２２及び外部装置と接続する為の通信部１２４を有したサーバ１２０と、通信部１２４と有線接続され、当該通信部１２４からの信号を外部に無線で発信する中継局１３０から構成されている。なお、音楽データベース１２２には、各ＣＤのＴＯＣ情報と関連付けられて、ＣＤ名、楽曲名、演奏者名、音楽ジャンルなどを含むタグ情報が蓄積されている。また、車載音響装置１１０の制御部８０は、ＴＯＣ情報抽出部８２に加えて、ある情報から音楽ジャンルのみを抽出する音楽ジャンル抽出部８４を有している。
【００２８】
図６は、本発明の第２の実施形態の車載音響システム２００で実行される音場設定処理を示したフローチャートである。以下に、図６を参照して、第２の実施形態の音場設定処理について説明する。
【００２９】
車載音響装置１１０に電源電圧が供給され、記録媒体挿入部１０にＣＤ１が挿入されると、制御部８０のＴＯＣ情報抽出部８２は、ＣＤ１のＴＯＣ情報を読み取り（Ｓ４１）、その情報を表示部７０に表示させる。そして通信部９０を使用し、読み取ったＴＯＣ情報と共に当該ＣＤ１のタグ情報を要求する要求信号を無線により発信する。なお、この要求信号には車載音響装置１１０のＩＤ情報が含まれている。
【００３０】
中継局１３０がＣＤ１のＴＯＣ情報及び要求信号を受信すると、それらはサーバ１２０に送信される。通信部１２４によりこれらの信号を受信すると、サーバ１２０は、音楽データベース１２２内に格納された、当該ＴＯＣ情報と関連付けられたタグ情報を検索する。そして車載音響装置１１０のＩＤ情報と共に検索されたタグ情報を中継局１３０に送信する。そして中継局１３０はこれらの信号を発信する。
【００３１】
中継局１３０から発信されたタグ情報を通信部９０が受信すると、制御部８０の音楽ジャンル抽出部８４は、当該タグ情報の中から音楽ジャンル情報（例えばクラッシック）を抽出し（Ｓ４２）、その音楽ジャンル情報を、名称が一致する音楽ジャンルのプリセット音場情報（ここでは「クラッシック」の周波数特性を有したプリセット音場情報）に関連付けてＨＤＤ４０に記録する（Ｓ４３）。そしてＣＤ１再生の為の操作が行われるまで待機状態に入る（Ｓ４４）。ＣＤ１の音楽データを再生させるように操作部５０が操作されると（Ｓ４４：ＹＥＳ）、制御部８０は、録音操作がされたか否かをチェックする（Ｓ４５）。また、操作部５０によるＣＤ１再生の為の操作がされない場合（Ｓ４５：ＮＯ）、制御部８０は待機状態のままである。
【００３２】
Ｓ４５の処理においてＣＤ１の音楽データが録音されるように操作部５０が操作されると（Ｓ４５：ＹＥＳ）、制御部８０は、データ圧縮部５０によりＣＤ１の音楽データを圧縮処理し（Ｓ４６）、それを抽出した音楽ジャンル情報と関連付けてＨＤＤ４０に記録し（Ｓ４７）、本処理を終了させる。
【００３３】
図７は、本発明の第２の実施形態の車載音響装置１１０の構成要素である制御部８０により実行される、ＨＤＤ４０に記録された音楽データを音場設定を参照して再生するＨＤＤ音楽データ再生処理を示したフローチャートである。以下に、図７を参照して、第２の実施形態のＨＤＤ音楽データ再生処理について説明する。
【００３４】
車載音響装置１１０に電源電圧が供給され、ＨＤＤ４０に記録された音楽データを再生するように操作部５０が操作されると（Ｓ５１：ＹＥＳ）、制御部８０は、音場を自動的に設定する機能がオンであるかを判定する（Ｓ５２）。ここで、音場を自動的に設定する機能がオフである場合（Ｓ５２：ＮＯ）、制御部８０はいずれの音場も設定することなくＨＤＤ４０に記録された音楽データを読み込み、当該音楽データを再生し（Ｓ５６）、本処理は終了する。また、音場を自動的に設定する機能がオンである場合（Ｓ５２：ＹＥＳ）、制御部８０は、再生する音楽データと音楽ジャンル情報がＨＤＤ４０内に記録されているか否かを判定する（Ｓ５３）。ここで、音楽ジャンル情報が記録されていると判定された場合（Ｓ５３：ＹＥＳ）、制御部８０は、その音楽ジャンル情報に関連付けられたプリセット音場情報をＨＤＤ４０内から読み出し（Ｓ５４）、音場設定部６０によってそのプリセット音場情報に応じた音場を生成させ（Ｓ５５）、再生部２０により当該音楽データを再生させ（Ｓ５６）。また、音楽ジャンル情報が記録されていないと判定した場合（Ｓ５３：ＮＯ）、制御部８０はいずれの音場も設定することなく当該音楽データを再生させ（Ｓ５６）、本処理は終了する。
【００３５】
第２の実施形態ではユーザが音場設定の操作を全く行う必要がない為、その負担がさらに軽減される。
【００３６】
以上が本発明の実施形態である。本発明はこれらの実施形態に限定されるものではなく様々な範囲で変形が可能である。
【図面の簡単な説明】
【００３７】
【図１】本発明の第１の実施形態の車載音響装置の構成を示したブロック図である。
【図２】本発明の第１の実施形態の車載音響装置の構成要素である制御部により実行される、音場設定処理を示したフローチャートである。
【図３】本発明の第１の実施形態の車載音響装置の構成要素である制御部により実行される、ＨＤＤに記録された音楽データを音場設定を参照して再生するＨＤＤ音楽データ再生処理を示したフローチャートである。
【図４】本発明の第１の実施形態の車載音響装置の構成要素である制御部により実行される、ＣＤに記録された音楽データを音場設定を参照して再生するＣＤ音楽データ再生処理を示したフローチャートである。
【図５】本発明の第２の実施形態の車載音響システムの構成を示したブロック図である。
【図６】本発明の第２の実施形態の車載音響システムで実行される音場設定処理を示したフローチャートである。
【図７】本発明の第２の実施形態の車載音響装置の構成要素である制御部により実行される、ＨＤＤに記録された音楽データを音場設定を参照して再生するＨＤＤ音楽データ再生処理を示したフローチャートである。
【符号の説明】
【００３８】
１      ＣＤ
４０    ＨＤＤ
５０    操作部
６０    音場設定部
８０    制御部
８２    ＴＯＣ情報抽出部
８４    音楽ジャンル抽出部
９０    通信部
１００、１１０  車載音響装置
１２０  サーバ
１２２  音楽データベース
２００  車載音響システム
【図１】
2005293623.tif 000003
【図２】
2005293623.tif 000004
【図３】
2005293623.tif 000005
【図４】
2005293623.tif 000006
【図５】
2005293623.tif 000007
【図６】
2005293623.tif 000008
【図７】
2005293623.tif 000009